(57)【特許請求の範囲】
【請求項１】
天井パネルに設けた照明ボックスの下面の矩形状の開口部の周縁に受け棧を装着し、受け棧の上面に水平なフランジ面を設け、照明ボックスの長手方向と平行な方向の受け棧のうち一方の受け棧のフランジ面を幅狭に、他方の受け棧のフランジ面を幅広にし、両方のフランジ面に照明カバーを載せた状態で照明カバーが移動するのを規制する位置決め部を幅の広い方のフランジ面に設け、複数枚の照明カバーを照明ボックスの開口部に並べて配置すると共に、両方のフランジ面に照明カバーの端縁を載置して支持し、隣り合う照明カバー間で対向するフランジ面間にカバー保持具を架設してカバー保持具で照明カバーの端縁を保持し、照明ボックスの長手方向と略直交させたカバー保持具の両端部を照明ボックスの開口部の下方からフランジ面の上に通過させる切欠部を、照明カバーの端縁を保持したカバー保持具がフランジ面に載置された位置よりずれた位置に、受け棧を上下に貫通するように設けて成ることを特徴とする照明カバーの取り付け構造。
【請求項２】
照明カバーを天井パネルにチェーンのような吊り具にて連結すると共に複数枚の照明カバー同士をチェーンのような連結具で連結したことを特徴とする請求項１記載の照明カバーの取り付け構造。
【請求項３】
天井パネルの強度の必要となる箇所の天井裏側に補強材を設けたことを特徴とする請求項１記載の照明カバーの取り付け構造。
【発明の詳細な説明】
【０００１】
【発明の属する技術分野】
本発明は浴室のようなユニットルームにおいて天井に照明器具を設けた場合に照明カバーを取り付ける構造に関するものである。
【０００２】
【従来の技術】
従来、浴室のようなユニットルームにおいては、図１０（ａ）に示すように天井に下面を開口せる照明ボックス１を設け、照明ボックス１内に照明装置３を装着し、照明ボックス１の下面の開口を閉塞するようにアクリル板のような透光性のある照明カバー４が取り付けられる。照明ボックス１の下面の周囲の開口縁には開口縁に沿って受け棧５が装着され、照明ボックス１の下面の開口に配置した照明カバー４の端縁が受け棧５の上面のフランジ面６上に載置される。照明カバー４を対向する受け棧５間を通して下方から装着する場合、照明カバー４を図１０（ｂ）に示すように曲げている。
【０００３】
【発明が解決しようとする課題】
ところが、上記従来例にあっては、図１０（ｂ）のように照明カバー４を曲げて装着しなければならないために照明カバー４が破損したりするという問題があり、また照明カバー４は図１０（ａ）に示す矢印のように自由に動き得るように自由度があり、照明カバー４の端縁がフランジ面６から外れて照明カバー４が落下する危険性もある。
【０００４】
本発明は叙述の点に鑑みてなされたものであって、照明カバーが外れないように容易に取り付けることができ、しかもメンテナンス等のときにも照明カバーを容易に取り外すことができる照明カバーの取り付け構造を提供することを課題とするものである。
【０００５】
【課題を解決するための手段】
上記課題を解決するために本発明の請求項１の照明カバーの取り付け構造は、天井パネル２に設けた照明ボックス１の下面の矩形状の開口部の周縁に受け棧５を装着し、受け棧５の上面に水平なフランジ面６を設け、照明ボックス１の長手方向と平行な方向の受け棧５のうち一方の受け棧５のフランジ面６を幅狭に、他方の受け棧５のフランジ面６を幅広にし、両方のフランジ面６に照明カバー４を載せた状態で照明カバー４が移動するのを規制する位置決め部８を幅の広い方のフランジ面６に設け、複数枚の照明カバー４を照明ボックス１の開口部に並べて配置すると共に、両方のフランジ面６に照明カバー４の端縁を載置して支持し、隣り合う照明カバー４間で対向するフランジ面６間にカバー保持具７を架設してカバー保持具７で照明カバー４の端縁を保持し、照明ボックス１の長手方向と略直交させたカバー保持具４の両端部を照明ボックス１の開口部の下方からフランジ面６の上に通過させる切欠部９を、照明カバー４の端縁を保持したカバー保持具７がフランジ面６に載置された位置よりずれた位置に、受け棧５を上下に貫通するように設けて成ることを特徴とする。照明カバー４の一方の端縁を幅の広い一方のフランジ面６の上方の位置に挿入し、照明カバー４を他方側に移動させて照明カバー４の他方の端縁を幅の狭い他方のフランジ面６上に載せ、照明カバー４の一方の端縁をフランジ面６に載せて照明カバー４の端面を位置決め部８に当てて照明カバー４がずれないように位置規制し、隣り合う照明カバー４間にカバー保持具７を配置すると共にカバー保持具７の両端部を切欠部９に挿通してフランジ面６の所定位置に載せて照明カバー４を保持できる。このように照明カバー４を取り付けることで照明カバー４を曲げたりしなくても容易に取り付けることができると共に照明カバー４が外れないように確実に取り付けることができる。またメンテナンス等のときも上記と逆の操作をして照明カバー４を容易に取り外すことができてメンテナンスが容易にできる。
【０００６】
また本発明の請求項２の照明カバーの取り付け構造は、請求項１において、照明カバー４を天井パネル２にチェーンのような吊り具１０ａにて連結すると共に複数枚の照明カバー４同士をチェーンのような連結具１０ｂで連結したことを特徴とする。照明カバー４を吊り具１０ａや連結具１０ｂにて連結して支持できて照明カバー４がたとえフランジ面６から外れても落下するおそれがない。
【０００７】
また本発明の請求項３の照明カバーの取り付け構造は、請求項１において、  天井パネル２の強度の必要となる箇所の天井裏側に補強材１１を設けたことを特徴とする。天井パネル２の強度の必要となる箇所を補強材１１にて補強して天井を強固にできる。
【０００８】
【発明の実施の形態】
浴室ユニット１２の天井部には図２に示すように複数枚の天井パネル２を並べて装着してある。本例の場合、２枚の天井パネル２を装着してある。一方の天井パネル２には下面を開口せる照明ボックス１を設けてあり、照明ボックス１内には照明装置３を内装してあり、照明ボックス１の下面の開口にはアクリル板のような透光性の照明カバー４が後述のように装着されるようになっている。本例の場合、照明ボックス１を設けた天井パネル２の端部にはダウンライトのような照明器具１３が装着されている。他方の天井パネル２の上には換気装置１４や制御ボックス１５を載設してあり、換気装置１４にはダクト１６を接続してある。この天井パネル２には点検口１７を設けてあり、点検口１７には点検蓋１８を着脱自在に装着してある。またこの天井パネル２の制御ボックス１５を取り付けた部分や点検口１７の近傍には補強材１１を架設して装着してある。このように補強材１１を架設することで制御ボックス１５を支持するために強度の必要な部分を補強でき、また点検口１７から身を乗り出すときの支えにもできる。
【０００９】
上記のように天井パネル２には照明ボックス１を設けてあるが、照明ボックス１の下面の矩形状の開口の四周には受け棧５を四周に亙って装着してあり、受け棧５の上面が照明カバー４の端縁を載せるフランジ面６となっている。照明ボックス１の長手方向と平行な方向の一つの受け棧５のうち一方の受け棧５のフランジ面６は幅が狭くて他方の受け棧５のフランジ面６は幅が広くなっている。図示の例での左側のフランジ面６の幅が狭く、右側のフランジ面６の幅が広い。幅の広いフランジ面６には照明カバー４の端縁を位置決めして照明カバー４が移動しないように規制する位置決め部８としての突起８ａを設けてある。また隣合う照明カバー４間で照明ボックス１の短手方向と平行な端縁を支持するカバー保持具７は本例の場合、中棧７ａであり、中棧７ａの両端部の上面には中棧保持金具１８を取り付けてあり、中棧保持金具１８に舌片状に突出する係止片１８ａを設けてある。照明ボックス１の長手方向と平行な一対の受け棧５には上記中棧７ａの係止片１８ａを係止する位置に対して少しずれた位置で上下に貫通するように切欠部９を設けてある。本例の場合、２枚の照明カバー４を取り付けるものであるために受け棧５の長手方向の中間位置より少しずれた位置に設けてある。
【００１０】
そして照明カバー４が次のように照明ボックス１の下面の開口に取り付けられる。照明カバー４が図５（ａ）に示すように下方の開口から挿入され、照明カバー４の一方の端縁が図１（ａ）のように突起８ａの上から幅の広いフランジ面６の上に載せられ、図１（ｂ）のように照明カバー４が略水平にされ、図１（ｃ）に示すように照明カバー４が幅の狭いフランジ面６の方に移動させられ、照明カバー４の他方の端縁が幅の狭いフランジ面６の上に載せられ、照明カバー４の両側の端縁がフランジ面６に載せられて図５（ｂ）に示すように照明カバー４が支持される。このように照明カバー４の両側の端縁がフランジ面６に載った状態で照明カバー４の端縁が突起８ａに当接されて位置決めされ、照明カバー４が左右方向に移動しないように止められる。このようにして２枚の照明カバー４が同様に照明ボックス１の下面の開口に配置されが、２枚の照明カバー４は図９に示すようにチェーンのような連結具１０ｂにて連結されると共に一方の照明カバー４がチェーンのような吊り具１０ａにて照明ボックス１に連結される。吊り具１０ａは一端が照明カバー４の止め具１９に結合され、他端が照明ボックス１に埋設したボルト２０ａとナット２０ｂとで結合される。連結具１０ｂは両端が照明カバー４の止め具１９に結合される。２枚の照明カバー４を上記のように照明ボックス１の下面の開口に配置した状態で照明カバー４が長手方向に寄せられ、照明ボックス１の短手方向と平行なフランジ面６の上に照明カバー４の端縁が図５（ｃ）のように載せられ、中棧７ａが次のように取り付けられる。中棧７ａは照明ボックス１の長手方向と直交するように配置され、中棧７ａの両端部の係止片１８ａと切欠部９とが図６（ａ）、図７（ａ）及び図８（ａ）のように対応させられ、図７（ｂ）に示すように係止片１８ａが切欠部９に挿入され、係止片１８ａがフランジ面６の上に位置した状態で中棧７ａが少しずらされて図６（ｂ）、図７（ｃ）、図８（ｂ）に示すように係止片１８ａが所定位置でフランジ面６上に載せられ、中棧７ａが所定位置に架設されて中棧７ａで照明カバー４の端縁が支持される。
【００１１】
上記のように照明カバー４が取り付け施工され、従来のように照明カバー４を曲げたりすることなく容易に取り付けられると共に照明カバー４が外れないように確実に取り付けることができる。また照明カバー４は上記と逆に操作して容易に取り外すことができてメンテナンスが容易にできる。また照明カバー４は吊リ具１０ａにて照明ボックス１に連結されていると共に照明カバー４は連結具１０ｂにて連結されているために照明カバー４がたとえ外れても落下するおそれがない。
【００１２】
【発明の効果】
本発明の請求項１の発明は、天井パネルに設けた照明ボックスの下面の矩形状の開口部の周縁に受け棧を装着し、受け棧の上面に水平なフランジ面を設け、照明ボックスの長手方向と平行な方向の受け棧のうち一方の受け棧のフランジ面を幅狭に、他方の受け棧のフランジ面を幅広にし、両方のフランジ面に照明カバーを載せた状態で照明カバーが移動するのを規制する位置決め部を幅の広い方のフランジ面に設け、複数枚の照明カバーを照明ボックスの開口部に並べて配置すると共に、両方のフランジ面に照明カバーの端縁を載置して支持し、隣り合う照明カバー間で対向するフランジ面間にカバー保持具を架設してカバー保持具で照明カバーの端縁を保持し、照明ボックスの長手方向と略直交させたカバー保持具の両端部を照明ボックスの開口部の下方からフランジ面の上に通過させる切欠部を、照明カバーの端縁を保持したカバー保持具がフランジ面に載置された位置よりずれた位置に、受け棧を上下に貫通するように設けているので、照明カバーの一方の端縁を幅の広い一方のフランジ面の上方の位置に挿入し、照明カバーを他方側に移動させて照明カバーの他方の端縁を幅の狭い他方のフランジ面上に載せ、照明カバーの一方の端縁をフランジ面に載せて照明カバーの端面を位置決め部に当てて照明カバーがずれないように位置規制し、また隣り合う照明カバー間にカバー保持具を配置すると共にカバー保持具の両端部を切欠部に挿通してフランジ面の所定位置に載せて照明カバーを保持できるものであって、このように照明カバーを取り付けることで照明カバーを曲げたりしなくても容易に取り付けることができると共に照明カバーが外れないように確実に取り付けることができるものであり、またメンテナンス等のときも上記と逆の操作をして照明カバーを容易に取り外すことができてメンテナンスが容易にできるものである。
【００１３】
また本発明の請求項２の発明は、請求項１において、照明カバーを天井パネルにチェーンのような吊り具にて連結すると共に複数枚の照明カバー同士をチェーンのような連結具で連結したので、照明カバーを吊り具や連結具にて連結して支持できて照明カバーがたとえフランジ面から外れても落下するおそれがないものである。
【００１４】
また本発明の請求項３の発明は、請求項１において、天井パネルの強度の必要となる箇所の天井裏側に補強材を設けたので、天井パネルの強度の必要となる箇所を補強材にて補強して天井を強固にできるものである。
【図面の簡単な説明】
【図１】（ａ）（ｂ）（ｃ）は本発明の実施の形態の要部の照明カバーの取り付けを説明する断面図である。
【図２】同上の浴室ユニットの天井部分の斜視図である。
【図３】同上の天井の断面図である。
【図４】同上の天井の底面図である。
【図５】（ａ）（ｂ）（ｃ）は同上の照明カバーの取り付けを説明する斜視図である。
【図６】（ａ）（ｂ）は同上のカバー保持具としての中棧を取り付ける状態を説明する斜視図である。
【図７】（ａ）（ｂ）（ｃ）は同上のカバー保持具としての中棧を取り付ける状態を説明す正面図である。
【図８】（ａ）（ｂ）は同上のカバー保持具としての中棧を取り付ける状態を説明する平面図である。
【図９】同上の照明カバーを吊り具や連結具で連結する状態を説明する一部切欠正面図である。
【図１０】（ａ）（ｂ）は従来例を説明する概略断面図である。
【符号の説明】
１  照明ボックス
２  天井パネル
４  照明カバー
６  フランジ面
７  カバー保持具
８  位置決め具
９  切欠部
１０ａ  吊り具
１０ｂ  連結具
１１  補強材
【図１】
0003767206.tif 000002
【図２】
0003767206.tif 000003
【図３】
0003767206.tif 000004
【図４】
0003767206.tif 000005
【図５】
0003767206.tif 000006
【図６】
0003767206.tif 000007
【図７】
0003767206.tif 000008
【図８】
0003767206.tif 000009
【図９】
0003767206.tif 000010
【図１０】
0003767206.tif 000011